(57)【要約】      （修正有）【課題】折り畳み式ジブ連結片を提供する。【解決手段】折りたたみ式ジブ連結片１０であって、メインブームに強固に取り付けられる着脱可能な固定手段１２を含むベース構造１１と、一端がベース構造１１に回動可能に接続される調節シリンダ１３と、第１の部分において回動可能にベース構造に接続される中間フレームとを備え、調節シリンダ１３の他端は、中間フレームの第２の部分に回動可能に接続され、中間フレームと調節シリンダ１３とのすべての回動可能接続部は、互いに平行な回動軸を有し、中間フレームは、シフトレバー１５に回動可能に接続され、シフトレバー１５の一端部には、シフトレバー１５から離間した端部が回動可能にベース構造１１と接続される、遮断可能な伸縮ロッド１６が回動可能に配置され、シフトレバー１５の他端部は、ロッドアセンブリ１７と回動可能に接続される。【選択図】図８
2018039669.tif 000002
【特許請求の範囲】
【請求項１】
ラフィング可能な折りたたみ式ジブ（２０）を作業位置へ回動するための折りたたみ式ジブ連結片（１０）であって、
メインブーム（３０）に強固に取り付けられる着脱可能な固定手段（１２）を含むベース構造（１１）と、
一端が前記ベース構造（１１）に回動可能に接続される調節シリンダ（１３）と、
第１の部分において回動可能に前記ベース構造（１１）に接続される中間フレーム（１４）と
を備え、
前記調節シリンダ（１３）の他端は、前記中間フレーム（１４）の第２の部分に回動可能に接続され、
前記中間フレーム（１４）および前記調節シリンダ（１３）のすべての回動可能接続部は、互いに平行な回動軸を有し、
前記中間フレーム（１４）は、シフトレバー（１５）に回動可能に接続され、
前記シフトレバー（１５）の一端部には、前記シフトレバー（１５）から離間した端部が回動可能に前記ベース構造（１１）と接続される、遮断可能な伸縮ロッド（１６）が回動可能に配置され、
前記シフトレバー（１５）の他端部は、ロッドアセンブリ（１７）と回動可能に接続されることを特徴とする。
【請求項２】
請求項１に記載の折りたたみ式ジブ連結片（１０）において、
前記中間フレーム（１４）は、さらに、回動接続部を介してラフィング可能な折りたたみ式ジブ（２０）と接続可能であり、
前記ロッドアセンブリ（１７）における前記シフトレバー（１５）から離間した部分は、ラフィング可能な折りたたみ式ジブ（２０）に回動可能に接続されるように構成されている。
【請求項３】
請求項１または２に記載の折りたたみ式ジブ連結片（１０）において、
前記シフトレバー（１５）および前記調節シリンダ（１３）における前記中間フレーム（１４）との前記回動可能接続部は、該中間フレーム（１４）における、該中間フレーム（１４）の前記ベース構造（１１）との回動可能接続部に対向する領域に配置される。
【請求項４】
請求項１から３のいずれか１つに記載の折りたたみ式ジブ連結片（１０）において、
前記シフトレバー（１５）における前記中間フレーム（１４）との回動可能接続部は、前記シフトレバー（１５）の中間部に設けられる。
【請求項５】
請求項１から４のいずれか１つに記載の折りたたみ式ジブ連結片（１０）を備える折りたたみ式ジブにおいて、
前記折りたたみ式ジブ連結片（１０）は、前記中間フレーム（１４）において、折りたたみ式ジブ（２０）のラフィング部に回動可能に接続される。
【請求項６】
請求項５に記載の折りたたみ式ジブ（４０）において、
前記調節シリンダは、前記折りたたみ式ジブが、移動式クレーンのメインブームにおける搬送位置から移動式クレーンにおける作業位置へ、そしてその逆方向に移動するよう構成されている。
【請求項７】
請求項５または６に記載の折りたたみ式ジブ（４０）において、
前記折りたたみ式ジブ連結片（１０）は、前記調節シリンダ（１３）が伸長することにより、前記折りたたみ式ジブ（２０）のラフィング部との接続部の回動軸を中心として、好ましくは、１６０°〜１９０°の範囲、好ましくは、１７５°〜１８５°の範囲で回動するように構成されている。
【請求項８】
折りたたみ式ジブ（４０）の移動式クレーンへの実装方法において、
前記折りたたみ式ジブ（４０）は、その長さ方向において移動式クレーンのメインブーム（３０）の長さ方向に平行に配置され、ここで前記折りたたみ式ジブ（４０）の向きがその長さ方向に沿って１８０°旋回するように、蝶番を中心として、前記メインブーム（３０）側に左右方向にずれた位置から前記メインブーム（３０）の上面上へ回動し、
前記メインブーム（３０）の長さ方向と前記折りたたみ式ジブ（４０）の長さ方向とが実質的に一致するように、前記折りたたみ式ジブ（２０）のラフィング部は、前記メインブーム（３０）の長さ方向に垂直かつ垂直線にも垂直な回動軸を中心として回動する。
【請求項９】
請求項８に記載の方法において、
前記折りたたみ式ジブ（２０）のラフィング部は、前記折りたたみ式ジブ（４０）を前記メインブーム（３０）の上面に配置したあと、該メインブーム（３０）に接続され、かつ前記折りたたみ式ジブ連結片（１０）の長さ方向が前記メインブーム（３０）の長さ方向と実質的に一致するようにメインブーム（３０）の上面から下方に折曲される折りたたみ式ジブ連結片（１０）を介してメインブーム（３０）に接続され、前記折りたたみ式ジブ連結片（１０）が下方に折曲されている間、前記折りたたみ式ジブ（２０）のラフィング部は、その長手方向位置において、前記メインブーム（３０）のローラヘッド方向へ引っ張られ、前記折りたたみ式ジブ連結片（１０）と接続された端部において、前記メインブーム（３０）の上面上で上下運動を行う。
【請求項１０】
請求項８または９に記載の方法において、
前記ラフティング可能な折りたたみ式ジブ（２０）は回動後、さらなる回動軸を中心としてさらに下方へ回動し、これにより、以前実質的に一致していた折りたたみ式ジブ（４０）とメインブーム（３０）の長さ方向が一致しなくなる。
【請求項１１】
請求項８または９に記載の方法において、
前記折りたたみ式ジブ（４０）が前記左右方向位置から前記メインブーム（３０）の上面上へ回動したあと、前記折りたたみ式ジブ連結片（１０）は、ラフティング部に対して、メインブーム方向へ回動し、前記メインブーム（３０）の前記ローラヘッドの領域において、前記メインブーム（３０）とボルト接続部を形成する。
【請求項１２】
請求項１１に記載の方法において、
前記折りたたみ式ジブ連結片（１０）と前記メインブーム（３０）との前記ボルト接続部は、前記メインブーム（３０）の長手方向軸と交差する回転軸を構成し、前記折りたたみ式ジブ連結片（１０）を前記メインブーム（３０）の上面から下方に折曲する。
【請求項１３】
請求項８から１２のいずれか１つに記載の方法において、
前記折りたたみ式ジブ連結片（１０）の長さ方向が、下方への回動によって、前記メインブーム（３０）の長手方向軸と実質的に一致している状態で、前記折りたたみ式ジブ連結片（１０）は、前記メインブーム（３０）に強固に固定される。
【請求項１４】
請求項８から１３のいずれか１つに記載の方法において、
前記折りたたみ式ジブ（４０）は、請求項１から４のいずれか１つに記載の折りたたみ式ジブ連結片（１０）を含む、または、請求項５から７のいずれか１つに記載の折りたたみ式ジブ（４０）である。
【請求項１５】
請求項５から７のいずれか１つに記載の折りたたみ式ジブ（４０）、または、請求項１から４のいずれか１つに記載の折りたたみ式ジブ連結片（１０）を備える移動式クレーン（１００）。
【発明の詳細な説明】
【技術分野】
【０００１】
本発明は、折りたたみ式ジブ連結片および折りたたみ式ジブの実装方法に関する。
【背景技術】
【０００２】
ある種のクレーンにおいては、通常、伸縮可能なメインブームのローラヘッドにフライジブが固定される。このとき、フライジブは、メインブーム自体のように伸縮可能でないことが多い。むしろ、クレーンの実装中、フライジブをメインブームのローラヘッドに配置する必要がある。作業動作中、フライジブは、メインブームに対して傾斜する。
【発明の概要】
【発明が解決しようとする課題】
【０００３】
先行技術により、たとえば、搬送位置において、水平に配置されるメインブームの左右方向に隣接するフライジブを備える移動式クレーンが知られている。フライジブをメインブームのローラヘッドに配置するには、垂直な回転軸を中心としてその搬送位置から前方に回動するように、フライジブをローラヘッドにボルト締結することが多い。回動後、フライジブとメインブームの長さ方向が実質的に一致する。この状態で、フライジブはメインブームのローラヘッドに強固にボルト締結される。メインブームに対するフライジブの典型的な転倒防止策として、フライジブの長さ方向をメインブームに対して傾けることができる調節シリンダが、折りたたみ式ジブまたはラフィングジブに設けられる。ここで例示的に説明する先行技術における実装方法には、フライジブが垂直な回転軸を中心として回動するのには、大きなスペースが不可欠であり、それは各作業現場で必ずしも手に入るわけではないという問題がある。
【０００４】
本発明は、上記問題を解決した折りたたみ式ジブ連結片を得ること、または折りたたみ式ジブの実装方法を提供することを目的とする。
【課題を解決するための手段】
【０００５】
これは、本発明の請求項１におけるすべての特徴を有する折りたたみ式ジブ連結片によって達成される。したがって、ラフティング可能な折りたたみ式ジブを作業位置へ回動するための折りたたみ式ジブ連結片は、メインブームに強固に取り付けられる着脱可能な固定手段を含むベース構造と、一端が上記ベース構造に回動可能に接続される調節シリンダと、第１の部分において回動可能に上記ベース構造に接続される中間フレームとを備え、上記調節シリンダの他端は、上記中間フレームの第２の部分に回動可能に接続され、上記中間フレームと上記調節シリンダとのすべての回動可能接続部は、互いに平行な回動軸を有する。この折りたたみ式ジブ連結片の特徴としては、上記中間フレームは、シフトレバーに回動可能に接続され、上記シフトレバーの一端部には、上記シフトレバーから離間した端部が回動可能に上記ベース構造と接続される、遮断可能な伸縮ロッドが回動可能に配置され、上記シフトレバーの他端部は、ロッドアセンブリと回動可能に接続される。
【０００６】
このように構成された折りたたみ式ジブ連結片により、折りたたみ式ジブ（およびフライジブ）のラフィング部をメインブームの上面における配置位置から作業位置へ移動できる。そのためには、適切なタイミングで調節シリンダの制御と、ボルト接続を行うことだけが必要となる。本発明による折りたたみ式ジブ連結片において、さらに好適には、折りたたみ式ジブ全体は、作業位置への搬送時において単に垂直面上を移動する。先行技術において必要とされている、左右方向の空間や垂直軸を中心とした回動は省略してもよい。
【０００７】
折りたたみ式ジブ連結片のさらなる態様として、上記中間フレームは、さらに、回動接続部を介してラフィング可能な折りたたみ式ジブと接続可能であり、上記ロッドアセンブリにおける上記シフトレバーから離間した部分は、ラフィング可能な折りたたみ式ジブに回動可能に接続されるように構成されている。
【０００８】
本発明の選択的な変形例によれば、上記シフトレバーおよび上記調節シリンダにおける上記中間フレームとの上記回動可能接続部は、該中間フレームにおける、該中間フレームの上記ベース構造との回動可能接続部に対向する領域に配置される。
【０００９】
好ましくは、上記シフトレバーにおける上記中間フレームとの回動可能接続部は、上記シフトレバーの中間部に設けられる。
【００１０】
本発明は、さらにまた、上記記載の変形例のうちのいずれか１つにおける折りたたみ式ジブ連結片を備える折りたたみ式ジブに関し、上記折りたたみ式ジブ連結片は、上記中間フレームにおいて、折りたたみ式ジブのラフィング部に回動可能に接続される。
【００１１】
本発明の選択的な変形例によれば、調節シリンダは、上記折りたたみ式ジブが移動式クレーンのメインブームにおける搬送位置から移動式クレーンにおける作業位置へ、そしてその逆方向に移動するように構成されている。
【００１２】
尚、調節シリンダは、折りたたみ式ジブがその作業位置に移動したあとも、角度位置にある折りたたみ式ジブをメインブームの方へ変化させ、フライジブのラフィング動作を可能とする。
【００１３】
好ましくは、上記折りたたみ式ジブの折りたたみ式ジブ連結片は、上記調節シリンダが伸長することにより、上記折りたたみ式ジブのラフィング部との接続部の回動軸を中心として、好ましくは、１６０°〜１９０°の範囲、さらに好ましくは、１７５°〜１８５°の範囲で回動するように構成されている。
【００１４】
本発明は、また、折りたたみ式ジブの移動式クレーンへの実装方法に関し、この方法において、上記折りたたみ式ジブは、長さ方向において移動式クレーンのメインブームの長さ方向に平行に配置され、上記折りたたみ式ジブの向きがここでその長さ方向に沿って１８０°旋回するように、蝶番を介して、上記メインブーム側に左右方向にずれた位置から上記メインブームの上面上へ回動し、上記メインブームの長さ方向と上記折りたたみ式ジブの長さ方向とが実質的に一致するように、上記折りたたみ式ジブのラフィング部は、上記メインブームの長さ方向に垂直、かつ垂直方向にも垂直な回動軸を中心として回動する。
【００１５】
一般的に搬送位置において、折りたたみ式ジブは、長さ方向にメインブームに隣接して搬送される。このとき、折りたたみ式ジブは、固定装置を介してメインブームに配置される。蝶番配置により、本発明において、折りたたみ式ジブは、メインブーム側にずれた位置からメインブームの上面上へ回動する。このとき、折りたたみ式ジブは、その長手方向軸を中心として約１８０°回転する。搬送位置において、折りたたみ式ジブおよびメインブームの長手方向軸は、互いに実質的に平行となっている。したがって、以前下方を向いていた側は、ここでは、メインブームの上面上において上方へ向けて配置される。これは、メインブームに配置される、シリンダを介した回動装置によって行われる。折りたたみ式ジブは、メインブームの上面上に位置すると、よくローラヘッドが配置されるメインブームの前方部が、折りたたみ式ジブに強固に接続可能となるように、メインブームの長さ方向に直交するように配向された回動軸を中心として回動する。ここで、折りたたみ式ジブは、単にメインブームの長さ方向に延びる垂直面上を移動するだけである。
【００１６】
ここで好適には、以前先行技術において不可欠であった、移動式クレーンの左右の空間はない。
【００１７】
メインブームの長さ方向が、折りたたみ式ジブの長さ方向実質的に一致すると、折りたたみ式ジブの作業位置が得られる。この位置から、必要に応じて、またメインブームの位置によって、折りたたみ式ジブのラフィングが可能となる。
【００１８】
本発明の選択的な変形例によれば、上記折りたたみ式ジブのラフィング部は、上記折りたたみ式ジブを上記メインブームの上面に配置したあと、該メインブーム、特にメインブームのローラヘッドに接続され、かつ上記折りたたみ式ジブ連結片の長さ方向と、上記メインブームの長さ方向とが実質的に一致するように、メインブームの上面から下方に折曲される折りたたみ式ジブ連結片を介してメインブームに接続され、上記折りたたみ式ジブ連結片が下方に折曲されている間、上記折りたたみ式ジブのラフィング部は、その長手方向位置において、上記メインブームのローラヘッド方向へ引っ張られ、上記折りたたみ式ジブ連結片と接続された端部において、上記メインブームの上面上で上下運動を行う。
【００１９】
本発明のさらなる態様によれば、上記ラフティング可能な折りたたみ式ジブは、回動後、さらなる回動軸を中心としてさらに下方へ回動し、これにより、以前実質的に一致していた折りたたみ式ジブとメインブームの長さ方向が一致しなくなる。折りたたみ式ジブが、折りたたみ式ジブだけでなくメインブームの長さ方向が実質的に一致する作業位置へ移動したあと、本発明によれば、さらなる回動軸を中心として、折りたたみ式ジブのラフィング部を回動させることができる。このさらなる回動軸は、ベース構造と中間フレームとの接続部において折りたたみ式ジブの一部となり、作業動作において折りたたみ式ジブの通常のラフィングが可能となる。本発明によれば、ラフィング可能な折りたたみ式ジブのこの動きは、同様に折りたたみ式ジブ連結片を起点として調節シリンダによって行われる。したがって、調節シリンダは、折りたたみ式ジブを搬送位置から作業位置へ移動させるだけでなく、さらに、折りたたみ式ジブの通常のラフィングも可能にする。
【００２０】
このとき、好ましくは、折りたたみ式ジブ連結片とメインブームとのボルト接続部は、メインブームの長手方向軸に直交する回転軸となり、この回転軸を中心として、折りたたみ式ジブ連結片はメインブームの上面から下方へ折曲する。
【００２１】
本発明のさらなる態様によれば、上記折りたたみ式ジブ連結片の長さ方向が、下方への回動によって、上記メインブームの長手方向軸と実質的に一致している状態で、上記折りたたみ式ジブ連結片は、上記メインブームに強固に固定される。
【００２２】
折りたたみ式ジブ連結片がメインブーム、特にメインブームのローラヘッドに強固に固定されることにより、まだメインブームの上面上に配置されている折りたたみ式ジブのラフィング部を、調節シリンダによって作業位置へ移動させることができる。
【００２３】
さらに、本発明における方法は、上記折りたたみ式ジブが、上記変形例のいずれか１つに記載の折りたたみ式ジブ連結片である、または、上記変形例のいずれか１つに記載の折りたたみ式ジブである場合を含む。
【００２４】
本発明は、さらに、上記変形例のいずれか１つに記載の折りたたみ式ジブ、または、上記変形例のいずれか１つに記載の折りたたみ式ジブ連結片を備える移動式クレーンを含む。
【００２５】
本発明は、調節シリンダを介して調整可能な、実装方法によって着脱可能な折りたたみ式ジブを用いて、既存の調節シリンダによって付与できるエネルギーを折りたたみ式ジブを着脱するのに利用することによって、実装方法を改善できる。
【図面の簡単な説明】
【００２６】
さらなる特徴、効果および詳細は、以下に記載の図面の詳細な説明を参照することにより明らかとなる。
【図１Ａ】図１Ａは、搬送位置にある、本発明における折りたたみ式ジブを備える移動式クレーンの正面図である。
【図１Ｂ】図１Ｂは、メインブームの上面上へ回動する、本発明における折りたたみ支持部を備える移動式クレーンの正面図である。
【図２Ａ】図２Ａは、本発明における折りたたみ式ジブが搬送位置にある状態を模式的に示す正面図である。
【図２Ｂ】図２Ｂは、本発明における折りたたみ式ジブがメインブームの上面上へ回動する状態を模式的に示す図である。
【図３Ａ】図３Ａは、搬送位置にある本発明における折りたたみ式ジブがメインブームの方へ左右方向にずれる様子を示す上面模式図である。
【図３Ｂ】図３Ｂは、折りたたみ式ジブがメインブームの上面上へ回動するための回動構造を示す斜視図である。
【図４Ａ】図４Ａは、搬送位置にある、本発明における折りたたみ式ジブを備える移動式クレーンの側面図である。
【図４Ｂ】図４Ｂは、メインブームの上面上へ回動する、本発明における折りたたみ式ジブを備える移動式クレーンの側面図である。
【図５Ａ】図５Ａは、折りたたみ式ジブが搬送位置から作業位置へ移行する状態を示す移動式クレーンの側面図である。
【図５Ｂ】図５Ｂは、折りたたみ式ジブがメインブームにおいて作業位置へ移行する状態を示す側面図である。
【図５Ｃ】図５Ｃは、折りたたみ式ジブがメインブームにおいて作業位置へ移行する状態を示す側面図である。
【図５Ｄ】図５Ｄは、折りたたみ式ジブがメインブームにおいて作業位置へ移行する状態を示す側面図である。
【図５Ｅ】図５Ｅは、作業位置にある、本発明における折りたたみ式ジブの側面図である。
【図６Ａ】図６Ａは、ラフィング位置にある、本発明における折りたたみ式ジブの側面図である。
【図６Ｂ】図６Ｂは、折りたたみ式ジブがラフィング位置をとるときの移動式クレーンの斜視図である。
【図７Ａ】図７Ａは、さまざまな数の各構成要素を省略した本発明における折りたたみ式ジブ連結片の側面図である。
【図７Ｂ】図７Ｂは、さまざまな数の各構成要素を省略した本発明における折りたたみ式ジブ連結片の側面図である。
【図７Ｃ】図７Ｃは、さまざまな数の各構成要素を省略した本発明における折りたたみ式ジブ連結片の側面図である。
【図７Ｄ】図７Ｄは、さまざまな数の各構成要素を省略した本発明における折りたたみ式ジブ連結片の側面図である。
【図７Ｅ】図７Ｅは、さまざまな数の各構成要素を省略した本発明における折りたたみ式ジブ連結片の側面図である。
【図８】図８は、折りたたみ式ジブがラフィング状態であるときの、本発明における折りたたみ式ジブ連結片の側面図である。
【発明を実施するための形態】
【００２７】
以下に、一連の図の説明を参照して、折りたたみ式ジブの実装の基本的な流れを説明する。ここで本発明によれば、折りたたみ式ジブは、終始油圧式であり、事故の危険性の軽減に寄与している。さらに、折りたたみ式ジブは、搬送位置から作業位置への移行中、絶えず蝶着部（ブラケット４１または回動軸３３）を介してメインブームに接続される。
【００２８】
図１において、折りたたみ式ジブ４０が、いかに移動式クレーン１００のメインブーム３０から左右方向にずれて配置されているかが分かる。このとき、折りたたみ式ジブ４０は、折りたたみ式ジブ４０を１８０°上方へ回動し、折りたたみ式ジブ４０をメインブーム３０上に設置する２つのブラケット４１に取り付けられる。メインブーム３０は、特に伸縮可能なメインブームであってもよい。折りたたみ式ジブ４０は、メインブーム３０の上面上の配置位置においても、ブラケット４１によって強固に保持される。メインブーム３０と折りたたみ式ジブ４０とを回動可能に接続するブラケット４１は、このとき、折りたたみ式ジブ４０のラフィング部に位置する。したがって、折りたたみ式ジブ連結片は、メインブームにおいてブラケットに直接接続されない。
【００２９】
図１Ｂは、ブラケット４１が折りたたみ式ジブ４０をメインブーム４０側に左右方向にずれた位置から、その上面上へ回動したあとの折りたたみ式ジブ４０の状態を示す。回動プロセスにおいて、折りたたみ式ジブ４０はその長手方向軸を中心として１８０°回転する。
【００３０】
図２Ｂは、これと同様のものを、ブラケット４１の構造が分かりやすいように簡略化して示す。ブラケット４１が一端が回動可能かつ強固にメインブーム３０に直接接続され、他端が回動軸において２つの連結ロッドに接続されるシリンダを含むことが分かる。２つの連結ロッドのうち一方は直接メインブームに、他方は、折りたたみ式ジブに固着し、メインブームに蝶着されるシフト部材に接続される。
【００３１】
図３Ａは、メインブーム３０、および搬送位置においてメインブーム３０側に左右方向にずれて配置される折りたたみ式ジブを示す平面図であり、この折りたたみ式ジブは、ラフティング部２０と折りたたみ式ジブ連結片１０とを含む。この平面図から、折りたたみ式ジブ４０をメインブームの上面上へ回動させる役割を担う両ブラケット４１が、折りたたみ式ジブ４０のラフィング部２０に配置されていることがよく分かる。それに対し、折りたたみ式ジブ連結片１０は、ブラケット４１を介しており、メインブーム３０に直接接続されない。ただし、ブラケットが１つだけであっても、この機能を果たすことができる。
【００３２】
図３Ｂは、図２Ｂを用いて既に説明したブラケット４１の構造を改めて分かりやすくしたブラケット４１の斜視図である。図４Ａおよび図４Ｂは、折りたたみ式ジブ４０が移動式クレーン１００のメインブーム３０の上面上へ回動する様子を側面から見た図である。
【００３３】
図５Ａは、メインブーム３０の上面上に配置された折りたたみ式ジブ４０が作業位置へ移動する第１のステップを示す。
【００３４】
折りたたみ式ジブ４０は、まだブラケット４１内に格納されている。折りたたみ式ジブ連結片１０の調節シリンダ１３は、折りたたみ式ジブ連結片１０がメインブーム３０の上面の方へ第１ボルト締結位置へ下方に沈むように、少しだけ伸長する。折りたたみ式ジブ連結片１０が沈むことにより、連結片１０の上部ボルト締結点が、メインブーム３０のローラヘッド３１における対応するボルト締結点３３と一直線上に並ぶ。ボルト締結点３３の軸は、このとき、走行方向やメインブーム３０の長さ方向に直交する。ボルト締結点３３のボルト締結後、折りたたみ式ジブ４０のラフティング部２０は、ブラケット４１から締結解除され、解放される。ラフィング部２０は、このときまだ、メインブーム３０の上面上に設置されている。ラフィング部２０は、メインブーム３０のローラヘッド３１において行われるボルト締結によってのみ、折りたたみ式ジブ連結片１０に固定される。
【００３５】
図５Ｂは、折りたたみ式ジブが作業位置へ移行する際の次の状態を示す。ここで調節シリンダ１３が、図５Ａに示される折りたたみ式ジブ４０の静止状態において伸長すると、折りたたみ式ジブ連結片１０は、メインブーム３０のローラヘッド３１の前方へまで回動する。折りたたみ式ジブ４０のラフィング部２０は、このとき、メインブーム３０の上面上において引きずられる。折りたたみ式ジブ４０のラフティング部２０のヘッドにおいて、小さなランニングローラ２１によって、メインブーム３０の上面に沿って低摩擦運動が行われる。
【００３６】
図５Ｃは、調節シリンダ３０が伸長している状態を示し、これにより折りたたみ式ジブ連結片１０は、ローラヘッド３１前方へ回動する。折りたたみ式ジブ連結片１０の長さ方向は、ここで、メインブーム３０の長さ方向と実質的に一致する。折りたたみ式ジブ４０のラフィング部２０の長さ方向もメインブームの長さ方向と実質的に平行ではあるものの、折りたたみ式ジブ４０のラフィング部２０は、まだメインブーム３０の上面上に位置する。さらにここで、折りたたみ式ジブ連結片１０の下部ボルト締結点３２もここでローラヘッド３１のボルト締結点と一直線上に並び、さらに進むには、ここで両側にボルトを挿入する必要があることが分かる。
【００３７】
図５Ｂおよび５Ｃに示す動作中はずっと、折りたたみ式ジブ４０全体の重心が、ローラヘッド３１において、回動軸、つまり上部ボルト締結軸３３の後方に位置しなければならない。したがってこの重心は、メインブーム３０に対向する側における、この回動軸を通る垂直線に設けられる。
【００３８】
ローラヘッド３１における下部ボルト締結点３２は、ここで、上部ボルト締結点３３と同様に、折りたたみ式ジブ連結片１０に強固にボルト締結される。
【００３９】
図５Ｄは、折りたたみ式ジブ４０をその作業位置へ移動させるためのさらなるステップを示す。図５Ｃの状態から調節シリンダ１３は、ここで再び完全に後退する。
折りたたみ式ジブ連結片１０は、上下においてローラヘッド３１に強固にボルト締結されているため（下部ボルト締結点３２および上部ボルト締結点３３参照）、折りたたみ式ジブ４０のラフィング部２０の調節シリンダ１３が後退する際には、垂直線を通って約１８０°回動し、ブームの延長時におけるローラヘッド３１の作業位置へ移動する。その様子を図５Ｅに示す。
【００４０】
ここで最後のステップでは、ラフティング部２０と中間フレームとのボルト接続が行われ、ラフティング可能な折りたたみ式ジブ２０がラフティング可能となる。ボルトは、好ましくは、回転点１１１の近隣領域に取り付けられる、または回転点１１１に集中して取付けられてもよい。この位置は、図５Ｅにおいて参照符号２２で示される。
【００４１】
ここで、クレーン作業用の調節シリンダ３０と同じものを用いて、折りたたみ式ジブ４０のラフィング部２０を傾かせることができる。たとえば、ここで約−４３°傾かせることができる。
【００４２】
図６Ｂは、通常のクレーン動作中の移動式クレーン１００を示す斜視図である。ラフィング可能折りたたみ式ジブ２０は、メインブーム３０の上面から１８０°だけでなく、それ以上回動することが分かる。これに対し、折りたたみ式ジブ連結片１０は、ローラヘッド３１に固着され、作業動作中も調節シリンダ１３によって回動しない。ここで、ラフィング可能折りたたみ式ジブ２０は、メインブーム３０の上面上へ回動し、下部ボルト接続部３２の連結を解除する必要があるだろう。さもなければ、折りたたみ式ジブ４０の重心がローラヘッド３１の後方に位置する（図５Ｅの状態参照）条件を満たすことができないだろう。
【００４３】
次に図７Ａ〜図７Ｅ及び図８を参照して、折りたたみ式ジブ連結片１０の運動特性を説明する。
【００４４】
図７Ａは、折りたたみ式ジブ連結片１０における構成の一部のみを示す。上部ボルト締結点３３だけでなく、下部ボルト締結点３２にも、固定手段１２を用いて強固に固定されるベース構造１１が見てとれる。ベース構造１１のローラヘッド３１への固定は強固である。さらに、ベース構造１１に蝶着される調節シリンダ１３が見てとれ、調節シリンダ１３における反ベース構造１１側の端部が、中間フレーム１４に蝶着される。この中間フレーム１４はさらに、ベース構造１１にも蝶着される。これは、好ましくは、ベース構造１１におけるローラヘッド３１から離れたもしくは反対側の部分で行われる。調節シリンダ１３は、これまでと同様に上部において蝶着され、ベース構造１１および中間フレーム１４にボルト締結される。中間フレーム１４も、ベース構造１１にボルト締結される。この３つのボルト位置は、締結解除されない。
【００４５】
図７Ｂは、調節シリンダ１３の伸長時における中間フレーム１４の回動を示す。好ましくは、中間フレームは、調節シリンダ１３が完全に昇降する際、たとえば、約４３°で、ベース構造１１に固定された蝶番に対して回動してもよい。調節シリンダ１３は、伸長・後退時、常に中間フレーム１４を回転点１１１を中心として動かす。
【００４６】
図７Ｃは、折りたたみ式ジブ４０のラフィング部２０が折りたたみ式ジブ連結片のベース構造１１に直接接続されるのではなく、中間フレーム１４にも直接接続されない様子を示す。このボルト位置１１２も同様に決して締結解除されない。このボルト位置１１２は、中間フレーム１４におけるベース構造１１との蝶着部に対向した末端部に位置する。
【００４７】
図７Ｄは、中間フレーム１４にさらなるシフトレバー１５が設けられる様子を示す。このシフトレバー１５は、実質的にブーメラン状の外形を有し、中間部において中間フレーム１４に蝶着される。その両端部において、シフトレバー１５は蝶着可能となっている。
【００４８】
図７Ｅは、シフトレバー１５が、ロッドアセンブリ１７またはラフィング可能な折りたたみ式ジブのロッドアセンブリを介して接続される状態を示す。さらに、シフトレバー１５の他端部において、遮断可能な伸縮ロッドを介してベース構造１１に接続される。遮断可能な伸縮ロッド１６は、区画されることにより遮断されてもよい。
【００４９】
ここで、図５Ａ〜５Ｅを参照して、折りたたみ式ジブ連結片１０のすべての構成部材が導入されたあと、作業位置から元の位置へ回動する折りたたみ式ジブについて説明する。
【００５０】
折りたたみ式ジブ４０をその搬送位置へ移動させるためには、中間フレーム１４と折りたたみ式ジブのラフティング部２０との間の接続を解除しなければならない。図５Ｅにおいて、ボルト接続部は参照符号２２で示される。ここでボルト接続を解除し、ここで抜き取ったボルトを遮断可能な伸縮ロッドアセンブリに差し込むと、伸縮ロッド１６の長さを変えることができなくなる。これにより、折りたたみ式ジブ４０のラフィング部２０は、中間フレーム１４から接続解除され、同時に伸縮ロッド１６を遮断する。したがって、これ以上伸長しなくなる。
【００５１】
このとき、調節シリンダ１４が再び伸長するため（図５Ｄ参照）、折りたたみ式ジブ４０のラフィング部２０は、その回転点１１２を中心として、中間フレーム１４において約１８０°上方へ移動する。
【００５２】
図５Ｃは、ここで、折りたたみ式ジブ４０のラフィング部２０が、メインブーム３０の上面上の後方ローラ２１上にある様子を示す。前方では、ラフィング部２０はまだロッドアセンブリ１７によって保持されている。
【００５３】
このとき、折りたたみ式ジブ連結片１０とローラヘッド３１との間のボルト接続部３２から下部ボルトが引き抜かれ、調節シリンダ１３が再び後退すると、折りたたみ式ジブ４０の折りたたみ式ジブ連結片も伸縮ブーム３０上へ上方に回動する。これには、メインブーム３０に対向する方の折りたたみ式ジブ４０全体の重心がボルト締結点３３の回動軸と垂直線によって規定される面にあることが前提となる。
【００５４】
調節シリンダ１３は、折りたたみ式ジブ４０のラフィング部２０が、メインブーム３０の上面においてブラケット４１と再び接触するまで後退する。これは、たとえば、図５Ａに示される。その接続において、ボルト接続部３３の上部ボルトを離間できるようにブラケット４１が折りたたみ式ジブ４０のラフィング部２０にロックされる。このボルトを抜いたあと、調節シリンダは、完全に後退する。その後、調節シリンダ１３の油圧は、ローラヘッド３１から完全に接続解除される。これについては、図４Ｂを参照されたい。
【００５５】
最後に、折りたたみ式ジブ４０がその搬送位置にくるように、ブラケット４１が１８０°下方へ回動する（図４Ａ参照）。
【００５６】
図８は、折りたたみ式ジブ動作中の折りたたみ式ジブ４０の断面図である。伸縮ロッド１６が自由に伸縮できるため、シフトレバー１５は機能しない。したがって、調節シリンダ１３が伸長することにより、折りたたみ式ジブ連結片１０のベース構造１１とのボルト締結点１１１を中心として回動することになる。
【図１Ａ】
2018039669.tif 000003
【図１Ｂ】
2018039669.tif 000004
【図２Ａ】
2018039669.tif 000005
【図２Ｂ】
2018039669.tif 000006
【図３Ａ】
2018039669.tif 000007
【図３Ｂ】
2018039669.tif 000008
【図４Ａ】
2018039669.tif 000009
【図４Ｂ】
2018039669.tif 000010
【図５Ａ】
2018039669.tif 000011
【図５Ｂ】
2018039669.tif 000012
【図５Ｃ】
2018039669.tif 000013
【図５Ｄ】
2018039669.tif 000014
【図５Ｅ】
2018039669.tif 000015
【図６Ａ】
2018039669.tif 000016
【図６Ｂ】
2018039669.tif 000017
【図７Ａ】
2018039669.tif 000018
【図７Ｂ】
2018039669.tif 000019
【図７Ｃ】
2018039669.tif 000020
【図７Ｄ】
2018039669.tif 000021
【図７Ｅ】
2018039669.tif 000022
【図８】
2018039669.tif 000023
【外国語明細書】
2018039669000001.pdf